(57)【要約】【課題】簡易な構成により木質チップと副資材とを混合することができる緑化基盤材生産システム及び緑化基盤材の生産方法を提供する。【解決手段】木質チップを生産する粉砕機１１と、木質チップを運搬する第１コンベア１４と、木質チップを堆肥化する副資材を貯留するホッパー１５と、ホッパー１５から副資材を第１コンベア上に供給するフィーダー１６と、下端部で第１コンベアから木質チップ及び副資材を受け止め、上方へ運搬して上端部から落下させる第２コンベア１８と、第２コンベアの上端より落下した木質チップ及び副資材を下端部で受け止め、上方へ運搬して上端部から落下させる第３コンベア１９と、を備えることを特徴とする緑化基盤材生産システム１０である。【選択図】図１
2006246722.tif 000002
【特許請求の範囲】
【請求項１】
抜根や伐採木を粉砕し木質チップを生産する粉砕機と、
前記木質チップを運搬する第１コンベアと、
木質チップを堆肥化する副資材を貯留するホッパーと、前記ホッパーから副資材を前記第１コンベア上に供給するフィーダーと、
前記第１コンベアから前記木質チップ及び副資材を下端部で受け止め、上方へ運搬して上端部から落下させる第２コンベアと、
前記第２コンベアの上端より落下した木質チップ及び副資材を下端部で受け止め、上方へ運搬して上端部から落下させる第３コンベアと、を備えることを特徴とする緑化基盤材生産システム。
【請求項２】
前記フィーダーには粉体ポンプが用いられていることを特徴とする請求項１に記載の緑化基盤材生産システム。
【請求項３】
抜根や伐採木を粉砕機により粉砕して木質チップを生産し、
生産した木質チップを第１コンベアで運搬しながら、ホッパーに貯留した副資材をフィーダーにより第１コンベア上に供給し、
第２コンベアの下端部で第１コンベアから木質チップ及び副資材を受け止め、上方へ運搬して上端部から落下させ、
第３コンベアの下端部で第２コンベアの上端部より落下した木質チップ及び副資材を受け止め、上方へ運搬して上端部から落下させることを特徴とする緑化基盤材の生産方法。
【発明の詳細な説明】
【技術分野】
【０００１】
本発明は、緑化基盤材生産システム及び緑化基盤材の生産方法に関する。
【背景技術】
【０００２】
盛土・切土等の法面は盛土・切土等直後から風化や侵食が始まり、時間経過とともに不安定化する傾向がある。したがって、盛土・切土時点の状態を保存するために、法面の保護が必要である。一般に、法面に人工的に草や木を植える植生工という保護工法が用いられている。この植生工によると、法面の侵食を防止するとともに、法面の緑化を図ることができる。
【０００３】
植生工の１つとして、厚層基材を法面に吹き付けることにより、法面にこの厚層基材の層を形成する厚層基材吹付工がある。この厚層基材吹付工は、厚層基材を吹付けノズルから噴射して、法面に吹き付けるものである（例えば、特許文献１参照）。
【０００４】
厚層基材は抜根や伐採木を粉砕した木質チップと、粉状の副資材とを混合し堆肥化して緑化基盤材とし、この緑化基盤材に植物の種子、土、肥料、接合剤等を適宜混合して生産する。従来の緑化基盤材の生産方法は、以下の手順からなる。
１．粉砕機によって抜根や伐採木を数インチ大まで粉砕しチップ化する。
２．１．の木質チップを高さ約２ｍ程度の山状に積み上げる。
３．副資材の入ったトンパックをフォークリフトで吊り上げ、２．のチップ山の頂部に散布する。
４．バックホウで３．のチップ山を攪拌し、木質チップと副資材とを混合する。
【特許文献１】特許第３３４５３８８号明細書
【発明の開示】
【発明が解決しようとする課題】
【０００５】
しかし、バックホウで木質チップと副資材とを攪拌する方法では、木質チップと副資材とを均等に混合することができない。このため、熟成中の木質チップに対してバックホウでの混合（切り返し）を最低月１回程度行わなければならなかった。
【０００６】
本発明の課題は、簡易な構成により木質チップと副資材とを混合することができる緑化基盤材生産システム及び緑化基盤材の生産方法を提供することである。
【課題を解決するための手段】
【０００７】
以上の課題を解決するため、請求項１に記載の発明は、抜根や伐採木を粉砕し木質チップを生産する粉砕機１１と、前記木質チップを運搬する第１コンベア（例えばベルトコンベア１４）と、木質チップを堆肥化する副資材を貯留するホッパー１５と、前記ホッパー１５から副資材を前記第１コンベア上に供給するフィーダー１６と、前記第１コンベアから前記木質チップ及び副資材を下端部で受け止め、上方へ運搬して上端部から落下させる第２コンベア（例えばベルトコンベア１８）と、前記第２コンベアの上端より落下した木質チップ及び副資材を下端部で受け止め、上方へ運搬して上端部から落下させる第３コンベア（例えばベルトコンベア１９）と、を備えることを特徴とする緑化基盤材生産システム１０である。
【０００８】
請求項１に記載の発明によれば、抜根や伐採木を粉砕機１１により粉砕して木質チップを生産し、生産した木質チップを第１コンベアで運搬しながら、ホッパー１５に貯留した副資材をフィーダー１６により第１コンベア上に供給することで木質チップに副資材を添加する。そして木質チップ及び副資材を第２コンベアの下端部で受け止め、第２コンベアにより上方へ運搬し、上端部から第３コンベアの下端部へ落下させ、さらに第３コンベアの下端部で受け止めた木質チップ及び副資材を第３コンベアにより上方へ運搬し、上端部から落下させることで、木質チップと副資材とを均一に混合することができる。
【０００９】
請求項２に記載の発明は、請求項１に記載の緑化基盤材生産システムにおいて、前記フィーダー１６には粉体ポンプが用いられていることを特徴とする。
【００１０】
請求項２に記載の発明によれば、フィーダー１６に粉体ポンプを用いることで、粉体である副資材を定量的に木質チップに添加することができ、木質チップと副資材とを均一に混合することができる。
【００１１】
請求項３に記載の発明は、抜根や伐採木を粉砕機１１により粉砕して木質チップを生産し、生産した木質チップを第１コンベアで運搬しながら、ホッパー１５に貯留した副資材をフィーダー１６により第１コンベア上に供給し、第２コンベアの下端部で第１コンベアから木質チップ及び副資材を受け止め、上方へ運搬して上端部から落下させ、第３コンベアの下端部で第２コンベアの上端部より落下した木質チップ及び副資材を受け止め、上方へ運搬して上端部から落下させることを特徴とする緑化基盤材の生産方法である。
【００１２】
請求項３に記載の発明によれば、抜根や伐採木を粉砕機１１により粉砕して木質チップを生産し、生産した木質チップを第１コンベアで運搬しながら、ホッパー１５に貯留した副資材をフィーダー１６により第１コンベア上に供給することで木質チップに副資材を添加する。そして木質チップ及び副資材を第２コンベアの下端部で受け止め、第２コンベアにより上方へ運搬し、上端部から第３コンベアの下端部へ落下させ、さらに第３コンベアの下端部で受け止めた木質チップ及び副資材を第３コンベアにより上方へ運搬し、上端部から落下させることで、木質チップと副資材とを均一に混合することができる。
【発明の効果】
【００１３】
本発明によれば、木質チップと副資材とを均一に混合することができるので、フォークリフトやバックホウを用いて木質チップと副資材とを混合する手間が無い。また、切り返しの回数を減らすことができる。
【発明を実施するための最良の形態】
【００１４】
以下、図を参照して本発明の実施の形態を詳細に説明する。図１は本発明が適用される緑化基盤材生産システム１０の概略図である。緑化基盤材生産システム１０は、図１に示すように、粉砕機１１と、副資材添加装置１３と、混合装置１７とから構成される。
【００１５】
粉砕機１１は、抜根や伐採木、廃材等の木質系材料を図示しないカッターで破砕して木質チップを生産する。生産された木質チップは粉砕機１１の後部にある搬出コンベア１２より副資材添加装置１３へ搬出される。
【００１６】
副資材添加装置１３は、ベルトコンベア１４と、ベルトコンベア１４の上部に配置されたホッパー１５と、フィーダー１６とから構成される。ベルトコンベア１４の前部は搬出コンベア１２の後端部の下方に配置され、搬出コンベア１２より木質チップを受け止め、副資材添加装置１３よりも後方の混合装置１７へ搬送する。
【００１７】
ホッパー１５は、副資材を収容している。副資材は、発酵材とも言われ、木質チップを発酵させ堆肥化する役割を持つ。副資材は、例えばピートモス、籾殻、米糠等の粉体である。フィーダー１６としては、例えば図示しないスクリューポンプ及びエアポンプを備える粉体ポンプを用いることができる。エアポンプによりホッパー１５内から副資材を空気とともにスクリューポンプに送り、スクリューポンプにより副資材を空気とともに定量的に搬出し、ベルトコンベア１４上に供給することができる。なお、使用する複数の副資材を混合した状態で１つのホッパー１５に収容してもよいし、副資材の種類に応じて複数のホッパー１５及びフィーダー１６を設けてもよい。
【００１８】
混合装置１７は、ベルトコンベア１８と、ベルトコンベア１９と、飛散防止筒２０とから構成される。ベルトコンベア１８及びベルトコンベア１９は斜めに配置されている。ベルトコンベア１８の下端部はベルトコンベア１４の後端部の下方に配置されるとともに、上端部がベルトコンベア１９の下端部の上方に配置されている。ベルトコンベア１９の上端部は緑化基盤材を貯蔵するストックヤード３０の上方に配置されている。
【００１９】
ベルトコンベア１８は下端部でベルトコンベア１４の搬出部より木質チップ及び副資材を受け止め、上端部まで搬送し、上端部からベルトコンベア１９の下端部へ落下させる。ベルトコンベア１９は下端部でベルトコンベア１８の上端部より木質チップ及び副資材を受け止め、上端部まで搬送し、上端部からストックヤード３０へ落下させる。
【００２０】
飛散防止筒２０はベルトコンベア１９の下端部の上方に設けられており、上部にベルトコンベア１８の上端部から落下する木質チップ及び副資材が投入される上部開口を備えるとともに、下部に木質チップ及び副資材をベルトコンベア１９上に排出する下部開口を備えた筒形状をしている。飛散防止筒２０はベルトコンベア１８の上端部よりベルトコンベア１９の下端部に落下する木質チップ及び副資材が飛散することを防止する。
【００２１】
以下、この緑化基盤材生産システム１０による緑化基盤材の生産方法について説明する。
まず、粉砕機１１により、抜根や伐採木、廃材等を破砕して木質チップを生産し、搬出コンベア１２より副資材添加装置１３に搬出する。
【００２２】
次に、副資材添加装置１３のベルトコンベア１４により木質チップを運搬しながら、粉体ポンプにより副資材をホッパー１５内からベルトコンベア１４上に定量的に供給する。これにより、木質チップの量に対して適量の副資材を添加することができる。
次いで木質チップ及び副資材を混合装置１７へ搬出する。
【００２３】
ベルトコンベア１４から搬出された木質チップ及び副資材は、ベルトコンベア１８により上端部まで搬送され、飛散防止筒２０の上部開口へ投下される。投下された木質チップ及び副資材は飛散防止筒２０の下部開口から排出される。排出された木質チップ及び副資材はベルトコンベア１９により上端部まで搬送され、ストックヤード３０上に投下される。
【００２４】
木質チップと副資材とは比重も近いため、ベルトコンベア１８及びベルトコンベア１９による２回の投下により、木質チップと副資材とは均等に混合される。したがって、ストックヤード３０には木質チップと副資材とが均等に混合された状態で蓄積されるため、堆肥化中はストックヤード３０の木質チップ及び副資材に対してバックホウでの混合を行う必要がない。
【００２５】
木質チップが堆肥化したら、植物の種子、土、肥料、接合剤等を適宜混合して厚層基材とし、法面に吹き付けることができる。なお、木質チップの堆肥化中に混合する手間がないため、堆肥化前に法面への吹き付けを行い、法面で堆肥化させてもよい。
【００２６】
以上の実施の形態においては、第１コンベア、第２コンベア、第３コンベアとしてベルトコンベアを用いたが、本発明はこれに限定されるものではなく、例えばこれらのいずれかまたは全ての代わりに、スクリューコンベアやスパイラルコンベア等のコンベアを用いてもよい。スクリューコンベアやスパイラルコンベアを用いた場合には、木質チップ及び副資材を搬送しながら攪拌することができる。また、ベルトコンベアよりも勾配を大きくすることができ、設置面積を縮小することができる。
【００２７】
また、フィーダー１６として粉体ポンプを用いたが、粉体である副資材を定量的にホッパー１５より搬出することができるのであれば、その他の任意のフィーダー１６を用いてもよい。その他、具体的な細部構造等についても適宜変更可能であることは勿論である。
【図面の簡単な説明】
【００２８】
【図１】本発明の緑化基盤材生産システム１０を示す概略図である。
【符号の説明】
【００２９】
１０   緑化基盤材生産システム
１１   粉砕機
１４   ベルトコンベア（第１コンベア）
１５   ホッパー
１６   フィーダー
１８   ベルトコンベア（第２コンベア）
１９   ベルトコンベア（第３コンベア）
【図１】
2006246722.tif 000003